(57)【要約】      （修正有）【課題】ジェットエンジンのアフターバーナー用燃料スプレーバーの振動を低減する。【解決手段】アフターバーナー燃料スプレーバー２８は、長手方向軸を有し、細長い空気力学的形状のシュラウド５０により取り囲まれる複数の細長い燃料パイプと流体的に連通する燃料受入スプレーヘッド３４を含む。前記スプレーヘッド３４は、ターボ燃焼エンジンのケーシング中に取付けられ、エンジンの内部貫通穴中に取り囲まれた燃料パイプをその中の貫通穴気体流に対して横方向に突出させて、スプレーバー２８の取付構成を形成するように構成される。前記シュラウド５０は、前記燃料パイプの外側表面の対応するシュラウド５０係合部分に当接して係合するように構成されたパイプ受け部分を含む内部側面の側壁を有する。前記パイプ受け部分は、前記シュラウド５０に対して、その中に受け入れる燃料パイプの位置を実質的に半径方向に固定するために構成される。【選択図】図５
2011102692.tif 000002
【特許請求の範囲】
【請求項１】
ターボ燃焼エンジンのアフターバーナー区画に燃料を分配するための細長い燃料スプレーバーであって、前記スプレーバーは長手方向軸を有するとともに、複数の細長い燃料パイプと前記燃料パイプを取り囲む細長い空気力学的楕円形状のシュラウドとを含み、ターボ燃焼エンジンのケーシング中に装着されて、それにより、貫通穴気体流に対して横方向において、前記スプレーバーの取付構成を形成するために前記取り囲まれた燃料パイプをエンジンの内部貫通穴中に突出させるように構成された前記スプレーバーと、
隣接しかつ実質的に互いに平行に前記シュラウド中に配置される一対の前記複数の燃料パイプであって、貫通穴気体流に対して横方向を向いた前記一対の燃料パイプと
を備え、
前記一対の燃料パイプの各燃料パイプは、前記シュラウドの隣接する側面の側壁に向いた少なくとも１つの排出口を有し、前記シュラウドは、前記燃料パイプ排出口と一直線に並ぶ少なくとも１つの燃料排出口を有する、アフターバーナー燃料供給機構。
【請求項２】
ターボ燃焼エンジンのアフターバーナー区画に燃料を分配するための細長い燃料スプレーバーであって、前記スプレーバーは長手方向軸を有するとともに、複数の細長い燃料パイプと前記燃料パイプを取り囲む細長い空気力学的楕円形状のシュラウドとを含み、ターボ燃焼エンジンのケーシング中に装着されて、それにより、貫通穴気体流に対して横方向において、前記スプレーバーの取付構成を形成するために前記取り囲まれた燃料パイプをエンジンの内部貫通穴中に突出させるように構成された前記スプレーバーと、
隣接しかつ実質的に互いに平行に前記シュラウド中に配置される一対の前記複数の燃料パイプであって、貫通穴気体流に対して横方向を向いた前記一対の燃料パイプと
を備え、
前記一対の燃料パイプは、各燃料パイプの全長の大部分に沿って相互接続する、アフターバーナー燃料供給機構。
【請求項３】
前記一対の相互接続された燃料パイプは、ターボ燃焼エンジンにおいて動作する場合に、ターボ燃焼エンジンの半径方向に互いに調和して移動するように適合される、請求項２に記載のアフターバーナー燃料供給機構。
【請求項４】
ターボ燃焼エンジンのアフターバーナー区画に燃料を分配するための細長い燃料スプレーバーであって、前記スプレーバーは長手方向軸を有するとともに、細長い空気力学的形状のシュラウドにより取り囲まれる複数の細長い燃料パイプと流体的に連通する燃料受入スプレーヘッドを含み、前記スプレーヘッドはターボ燃焼エンジンのケーシング中に装着され、それにより、貫通穴気体流に対して横方向において、前記スプレーバーの取付構成を形成するために前記取り囲まれた燃料パイプをエンジンの内部貫通穴中に突出させるように構成された前記スプレーバーと、
前記複数の細長い燃料パイプの１つの外側表面の対応するシュラウド係合部分に当接して係合するように構成されたパイプ受け部分であって、その中に前記燃料パイプを受けて、前記シュラウドに対して前記燃料パイプの位置を保持するように溝が形成されたパイプ受け部分を含む内部側面の側壁を有し、前記シュラウドの長さの大部分に沿って、前記スプレーバーの長手方向軸と直角な方向において、楕円形管状の断面形状を有する前記シュラウドと、
前記シュラウドの長い交差軸および短い交差軸を規定する前記楕円形の断面形状であって、前記複数の細長い燃料パイプのうちの少なくとも２つは、前記少なくとも２つの細長い燃料パイプのそれぞれの長手方向軸が前記シュラウドの前記短い交差軸と直角に交差する状態で、隣接しかつ互いに実質的に平行に配置される前記楕円形の断面形状と、
隣接し当接して配置される前記少なくとも２つの細長い燃料パイプであって、前記シュラウドの内部側面の側壁に対向して接触し、それにより前記シュラウドの長い交差軸の周りの曲げモーメントに抵抗する前記シュラウドにおける補強材を構成する前記少なくとも２つの細長い燃料パイプと、
を備えるアフターバーナー燃料供給機構。
【請求項５】
前記スプレーバーのエンジンを受ける固有振動数よりも大きな固有振動数を有する前記スプレーバーをさらに備える、請求項４に記載のアフターバーナー燃料供給機構。
【請求項６】
ターボ燃焼エンジンのアフターバーナー区画に燃料を分配するための細長い燃料スプレーバーであって、前記スプレーバーは長手方向軸を有するとともに、細長い空気力学的形状のシュラウドにより取り囲まれる複数の細長い燃料パイプと流体的に連通する燃料受入スプレーヘッドを含み、前記スプレーヘッドはターボ燃焼エンジンのケーシング中に装着され、それにより、貫通穴気体流に対して横方向において、前記スプレーバーの取付構成を形成するために前記取り囲まれた燃料パイプをエンジンの内部貫通穴中に突出させるように構成された前記スプレーバーと、
前記複数の細長い燃料パイプの１つの外側表面の対応するシュラウド係合部分に当接して係合するように構成されたパイプ受け部分であって、その中に前記燃料パイプを受けて、前記シュラウドに対して前記燃料パイプの位置を保持するように溝が形成されたパイプ受け部分を含む内部側面の側壁を有する前記シュラウドと、
前記シュラウドは、複数のパイプ受け部分をさらに備え、各パイプ受け部分は、細長い隆起した頂上部分によりその２つの側面のそれぞれに位置する細長い凹部分を含む、アフターバーナー燃料供給機構。
【請求項７】
前記スプレーバーが前記燃料パイプを経由して燃料が供給されない休止状態にあるときに、前記複数のパイプ受け部分のそれぞれとその中に受け入れられる関連する燃料パイプとの間にある強固な摩擦はめ合いと、前記スプレーバーが前記燃料パイプを経由して燃料が供給される活動状態にあるときに、前記複数のパイプ受け部分のそれぞれとその中に受け入れられる関連する燃料パイプとの間にある比較的ゆるい摩擦はめ合いと、をさらに備える、請求項６に記載のアフターバーナー燃料供給機構。
【請求項８】
それぞれ円筒形状に形成された前記燃料パイプであって、各関連するパイプ受け部分は、凹面状に構成されて休止状態においてその中に受ける円筒形の燃料パイプと当接はめ合い一致するような大きさに形成される前記燃料パイプをさらに備える、請求項７に記載のアフターバーナー燃料供給機構。
【請求項９】
それぞれ円筒形状に形成された前記燃料パイプであって、各関連するパイプ受け部分は、凹面状に構成されて、離れているが活動状態においてその中に受ける円筒形の燃料パイプを閉じ込めるような大きさに形成される前記燃料パイプをさらに備える、請求項７に記載のアフターバーナー燃料供給機構。
【請求項１０】
前記スプレーバーの長手方向軸と実質的に平行な方向を向いた長手方向軸を有する前記複数のパイプ受け部分のそれぞれをさらに備える、請求項６に記載のアフターバーナー燃料供給機構。
【請求項１１】
前記パイプ受け部分の前記細長い隆起した頂上は、前記シュラウドの長い交差軸の周りの曲げモーメントに抵抗する前記シュラウドの前記内部側面の側壁上の補強材を構成する、請求項６に記載のアフターバーナー燃料供給機構。
【請求項１２】
前記スプレーヘッドと前記シュラウドの間に介在する延長遷移部分であって、前記延長遷移部分の内部壁はその中に複数の凹部を備え、前記凹部のそれぞれが前記シュラウドの関連するパイプ受け部分の細長い凹部と一直線に並ぶ延長遷移部分をさらに備える、請求項６に記載のアフターバーナー燃料供給機構。
【発明の詳細な説明】
【技術分野】
【０００１】
本発明は、一般にジェットエンジン用アフターバーナーに関する。より詳細には、本発明は、代表的には航空機に用いることが可能なエンジン用のアフターバーナー燃料供給機構に関する。
【背景技術】
【０００２】
ジェットエンジン用のアフターバーナーのスプレーバーは、当業者には公知の装置である。そのようなスプレーバーの例は、米国を指定した特許文献１、および特許文献２中に見出せる。これらのそれぞれを開示目的のためここに援用する。
【０００３】
一般に、アフターバーナーの燃料スプレー機構は、高い必要性のある限定された期間において、ジェットエンジンの推力を増強するために利用される。航空機エンジンに関しては、そのような期間には、例えば航空母艦の飛行甲板からの発進が含まれる。
【０００４】
アフターバーナーのスプレーバーは、ジェットエンジン貫通穴気体流中に設置されるため、かなり変化のある極端な高温下にある。これにより、エンジンのタービン区画の後ろで燃料パイプが高温貫通穴気体に直接露出する、特許文献１に示すような構成について特に問題が生じる。そのような燃料パイプ露出構成に関する別の問題は、支持されていない比較的長い燃料パイプにより、弊害をもたらすと考えられるエンジンの振動数範囲に含まれる固有振動数（自然または調和振動数）の影響を、装置が受けやすくなることである。
【０００５】
これらの理由により、そのようなアフターバーナーの燃料パイプ用の耐熱シールド構造を設けること、さらにそれに対して冷却用のバイパス空気を分配することも公知である。特許文献３に見られる１つの特別な例において、（貫通穴気体流に関して）シールド用の管状エンクロージャー５４が、燃料分配パイプ５２の前に配置される。しかし、特許文献３の図４〜６により、エンクロージャー５４に関して、燃料パイプ５２の全長にわたって補強されていないままであることが明らかである。実際に、特許文献３の図５に示すように、冷却空気がその間を通過するために、スリット７０をその間に保持する必要があることが明らかである。図６から明らかなように燃料パイプの先端あるいは底部がエンクロージャー５４の壁端６６に固定されていると言えるとしても、長さの大部分が不支持である燃料パイプ５２は、想定される調和振動に対してエンジンにより補強されていることを意味しない。この弊害をもたらす動作は、燃料パイプ５２および／またはエンクロージャー５４の異常な振動を明らかに発生し、いくつかの構成部品において許容できない振動および部品間の摩擦や磨耗の原因となる。さらに、各燃料パイプは個別に囲まれており、本発明により定義されるもののようには、また以下に詳細に説明するもののようには、エンジンの貫通穴気体流に対して横方向に、燃料パイプが隣接してあるいは互いに横に並んで配置されてはいない。特許文献３に開示されたこれらの個々の装置は、高価であるばかりでなく、貫通穴気体流内の必要な振動数の半径方向分布がエンジンの出力を損なう。
【０００６】
これらの理由及びここに開示された説明により当業者には明らかになるその他の理由により、本発明は、これらの問題を解決するために行われたものであり、使用者にさらなる利点を供給する。
【先行技術文献】
【特許文献】
【０００７】
【特許文献１】国際公開第２００４／０３３９６６Ａ１号パンフレット
【特許文献２】米国特許仮出願第６０／３１９，６０１号明細書
【特許文献３】米国特許第５，２９７，３９１号明細書
【発明の概要】
【０００８】
ここに開示するように、３つの主要な実施形態に関して本発明を説明する。すなわち、（１）アフターバーナー燃料供給機構単独、（２）ターボ燃焼エンジンに装着する機構、および（３）ターボ燃焼エンジンに装着して航空機に搭載する機構である。これらの実施形態間における共通点は、アフターバーナー燃料供給機構のスプレーバーであり、展開された実施形態のその他の部品は、少なくとも本開示において用いられるように、公知であり、本発明はスプレーバーに基づいて要約される。
【０００９】
そのため、１つの実施形態において、本発明は、ターボ燃焼エンジンのアフターバーナー区画に燃料を分配するための細長い燃料スプレーバーを備える（含むが必ずしも限定されない）アフターバーナー燃料供給機構という形をとる。スプレーバーは、長手方向軸を有し、細長い空気力学的形状のシュラウドにより取り囲まれる複数の細長い燃料パイプと流体的に連通する燃料受入スプレーヘッドを含む。スプレーヘッドは、（ターボジェットおよびターボファンエンジンの両方の構成を含むように意図された）ターボ燃焼エンジンのケーシング中に取付けられ、エンジンの内部貫通穴中に取り囲まれた燃料パイプをその中の貫通穴気体流に対して横方向に突出させて、スプレーバーの取付構成を形成するように構成される。
【００１０】
この実施形態において、シュラウドはパイプ受け部分を含む内部側面の側壁を有する。パイプ受け部分は、複数の細長い燃料パイプの１つの外側表面の対応するシュラウド係合部分に当接して係合するように構成される。パイプ受け部分は、前記シュラウドに対して、その中に受け入れる燃料パイプの位置を実質的に維持するために構成される。この方法において、燃料パイプはその全長に沿って支持され、これにより、パイプがシュラウドに当接して係合するとき、エンジンを組み込んだ固有振動数よりも高い範囲に装置（機構）の固有振動数を引き上げる、補強された構成を強固なものにする。そのような特徴のそれぞれは、振動を最小化し、磨耗を減らし、細長い燃料スプレーバー装置の動作寿命を延ばすように機能する。
【００１１】
さらなる展開（変形例）において、シュラウドは、スプレーバーの長手方向軸と直角な方向において、シュラウドの長さの大部分に沿って楕円形管状の断面形状を有する。さらに、楕円形の断面形状は、シュラウドの長い交差軸および短い交差軸を規定し、シュラウドの長い交差軸は、好適な取付構成において、エンジンの貫通穴気体流の方向と実質的に一致する。
【００１２】
任意の展開において、いくつかの細長い燃料パイプの少なくとも２つは、それぞれの長手方向軸がシュラウドの短い交差軸と直角に交差する状態で、隣接しかつ互いに実質的に平行に配置される。図９において最もよくわかるように、この幾何学的配置により、燃料パイプ（図示された例では、一対の燃料パイプ）は横に並んで取付けられ、貫通穴気体流を横切る方向（互いに隣接するパイプの合計幅にシュラウドの２つの厚さを加えたもの）を向く。前述のように、そのような配置は、燃料パイプにより貫通気体に対して抵抗とならないように避けされていた。しかし、空気力学的楕円形状のシュラウド内における本発明の隣接燃料パイプの独自の構成により、そのような優位性のある配置が容易となる。さらに、そのような構成により、（公知の構成に比べて）エンジンのアフターバーナーに燃料を十分に供給するために必要なスプレーバー装置の合計数が減る。
【００１３】
補完的な展開において、シュラウドおよびすべての細長い燃料パイプは、スプレーバーの長手方向軸と実質的に平行な方向を向く長手方向軸を有する。
【００１４】
さらなる補完的な展開のように、２つの細長い燃料パイプが互いに隣接して当接配置され、対になった燃料パイプがシュラウドの内部側面の側壁に対向して接触する。この方法において、細長い燃料パイプは、シュラウドの長い交差軸の周りの曲げモーメントに抵抗するシュラウド内の補強材を構成する。
【００１５】
上記に暗示するように、本発明の別の有益な特徴は、スプレーバーが、スプレーバーのエンジンを受ける固有振動数よりも大きな固有振動数を有するように構成されることである。
【００１６】
さらなる展開において、シュラウドは、多数の（複数の）パイプ受け部分をさらに備え、各パイプ受け部分は、細長い隆起した頂上部分によりその２つの側面のそれぞれに位置する細長い凹部分を含む。この構成により、シュラウドは「波状」あるいは溝付きの内部表面を呈する。
【００１７】
１つの例において、スプレーバーが燃料パイプを経由して燃料が供給されない休止状態にあるときに、複数のパイプ受け部分のそれぞれとその中に受け入れられる関連する燃料パイプとの間に、強固な摩擦はめ合いが存在する（図９参照）。スプレーバーが燃料パイプを経由して燃料が供給される活動状態にあるときに、複数のパイプ受け部分のそれぞれとその中に受け入れられる関連する燃料パイプとの間に、比較的ゆるい摩擦はめ合いが存在する（図１０参照）。
【００１８】
燃料パイプのそれぞれは、管状に形成することが好適であり、（円形断面を有する）円筒形状に形成するのがより好適である。また、シュラウドの各関連するパイプ受け部分は、凹面状に構成されて、休止状態においてその中に受ける関連する燃料パイプと当接はめ合い一致するような大きさに形成されることが好適である。この方法において、燃料パイプとシュラウドの相対運動（あるいは互いの抵抗）がスプレーバーに対する機械的な減衰をもたらし、それにより、振動により生じる応力を減少させる。
【００１９】
逆に、補完的な方法では、燃料パイプが冷却されている（しかし、シュラウドは貫通穴気体流により明らかに加熱されている）活動状態において、離れているが、シュラウドの内部側面壁においてパイプ受入構造の（隆起した頂上部分により限定される）凹部中に受け入れられる円筒形の燃料パイプを閉じ込めるように構成される。当然ながら、この構成では、燃料パイプとシュラウドの間に、間隙が少なくとも間欠的に存在する。それにより生じる利点は、パイプとシュラウド間の（バッファ用の空気間隙を考えると）熱伝達は急激に低下し、シュラウドの熱応力も低下する。
【００２０】
内部側面の側壁上のパイプ受け部分により形成される溝付き形状のため、これらの受け部分、特に隆起した頂上部分は、シュラウドの長い交差軸周りの曲げモーメントに対して補強する役割を果たす。
【００２１】
図６および８において最もよくわかるように、延長遷移部分がスプレーヘッドとシュラウド間に介在する。延長遷移部分の内部壁はその中に複数の凹部を備え、そのような凹部のそれぞれは、相互接続されたシュラウドの関連するパイプ受け部分の細長い凹部と一直線に並ぶ。
【００２２】
本発明のさらに別の展開において、シュラウドの長い交差軸（図９参照）は、取付構成において、エンジンの長手方向軸と実質的に一致する。この配置において、シュラウドは、エンジンの貫通穴気体流用の指向性羽根として機能する。好適な実施形態において、気体流に与えられる方向はエンジンの長手方向軸と一致し、それにより出力を容易にする。
【００２３】
さらに別の展開において、スプレーバーのヘッド側に近接する位置でシュラウドの内部空間中に比較的低温のエンジンバイパス空気を受け入れるために、スプレーバー中に冷却空気入口の開口部を設ける。スプレーバーの先端に、そこから冷却空気を排出するために、冷却空気排出口の開口部を設ける。図５から最もよくわかるように、冷却空気排出口は、その長手方向軸に対して所定の角度で効果的に切断してそのような排出口の開口部を形成するシュラウドの楕円形状に依存して少なくとも部分的に影響を受ける、細長い楕円形状である。補完的な方法において、冷却空気排出口は、冷却空気排出口に近接するスプレーバーの長手方向位置でスプレーバーの長手方向軸に直角な、シュラウド内の内部断面領域よりも大きな開口領域を有すると言える（図５と１０を比較）。
【００２４】
図５からさらに分かるように、冷却空気排出口の構成は、スプレーバーの長手方向軸に対して横方向を向いている、冷却空気排出口の開口領域と一致する平面の観点から説明することができる。
【００２５】
少なくとも図２および３に示すように貫通穴気体流に対するスプレーバーの好適な配置により、冷却空気排出口は、取付構成において、エンジン貫通穴中の貫通穴気体流に対してマイナスの空気取入口を形成する。この方法により、効果的な負の圧力が冷却空気排出口の外側に構成されて、それによりシュラウドから冷却空気を引き出しやすくなり、最低限背圧がシュラウドに現れない。
【００２６】
以上、ここに開示する発明に関して、いくつかの有益な特徴を説明した。当然ながら、これらの所見は包括的なものではなく、さらなる利点と便益が、本開示を考慮することにより、当業者には明らかになるであろう。さらに、ここに説明された実施形態および例は限定ではなく、本発明を実施するために当業者を支援するように提供されるものであり、本発明は特許請求の範囲によってのみ範囲を限定される。
【図面の簡単な説明】
【００２７】
【図１】本発明に適合されたエンジンを搭載する典型的な航空機を示す斜視図である。
【図２】エンジンに取付けられた一対の細長い燃料スプレーバーの構成を例示する断面を部分的に示し、かつ本発明の教えにより構成された斜視図である。
【図３】１つのスプレーバーの取付構成の詳細を示す、半径方向断面の概略図である。
【図４】燃料源と流体的に連通する細長い燃料スプレーバーの詳細な斜視図である。
【図５】図４の細長い燃料スプレーバーの詳細な斜視図であるが、反対方向から見たものであり、スプレーバーのマイナス方向空気取入口の冷却空気排出口を詳細に示す。
【図６】シュラウドのパイプ受け部分の典型的な実施形態を示すスプレーバーの部分断面斜視図である。
【図７】図６と同様な部分断面斜視図であるが、シュラウド内に取付けられる一対の細長い燃料パイプを示す。
【図８】スプレーバー内部の半分、さらに詳細にはシュラウド内部の詳細を示す断面斜視図である。
【図９】燃料パイプを通って燃料が供給されていない燃料供給休止状態を示すスプレーバーの断面図である。
【図１０】図９に示すものと同様なスプレーバーの断面図であるが、図９の構成に対して燃料パイプが冷却された燃料供給活動状態を示す。
【図１１】燃料パイプが互いに分離する、頂上位置あるいはスプレーヘッド下方の図１４および１５に示す実施形態の部分におけるスプレーバーの断面図である。
【図１２】頂上位置あるいは図１４および１５に示す実施形態の部分における、溶接された対の燃料パイプが休止状態にあることを示すスプレーバーの断面図である。
【図１３】図１２に対応するが、活動状態にあることを示す。
【図１４】対になった燃料パイプがその全長の大部分に沿って溶接されているスプレーバーの典型的な実施形態の断面斜視図である。
【図１５】スプレーバーのスプレーヘッドに隣接する対になった燃料パイプの詳細を示す詳細断面斜視図である。
【実施例】
【００２８】
本発明の典型的な実施形態が添付の図面中に示される。すなわち、主要かつ唯一の共通部品である細長い燃料スプレーバー２８の構成と幾何学的な配置が示されている。また、細長い燃料スプレーバー２８は、ターボジェットまたはターボファンエンジンのいずれかの構成をとるように意図されたターボ燃焼エンジン１２用のものである。
【００２９】
図１は、本発明を実際に利用する実施形態を示したものであり、航空機１０とそれに搭載された一対のターボ燃焼エンジン１２とを示す。
【００３０】
図２は、図１中の航空機１０に搭載されるエンジン１２の１つを詳細に示す。図２には、エンジン１２のケーシング１６の中心を貫通する長手方向軸１４を有するエンジン１２を示す。ケーシング１６内において、一般にガスタービン区画２３と直後のアフターバーナー区画２４とに分割される内部貫通穴１８が画定される。貫通穴気体流２０が、貫通穴１８、タービンおよびアフターバーナー区画２３および２４を通過する。
【００３１】
フレームホルダーストラット２２に支持されたフレームホルダー２１の前方には、タービンおよびアフターバーナー区画２３と２４間に通常設置されるアフターバーナー燃料供給機構２６が示されている。図２において、その長手方向軸３２を有するスプレーバー２８が取付構成３０において示されており、スプレーバー２８は、エンジン１２の長手方向軸１４に関して一般に半径方向に置かれている。
【００３２】
図２において、ケーシング１６が、エンジン１２の作動中にバイパス空気が通過するように方向付けられるバイパス空気環体１９を画定することもわかる。バイパス環体１９は、外部スリーブ１７により外面的な境界が示され、内部スリーブ１５により内面的な境界が示される。バイパス空気は、エンジン１２のインテークファンの下流で環体１９中に流れがそらされる。アフターバーナー燃料供給機構２６の冷却空気入口８６は、その開口が接近するバイパス空気１９の前方に向けられた状態で、バイパス環体１９中に位置する。この方法で、以下に詳細に説明するように、バイパス空気はアフターバーナー燃料供給機構２６を通過するように流れがそらされる。当然ながら、バイパス空気１９の大部分は、アフターバーナー燃料供給機構２６のスプレーヘッド３４を通り過ぎて流れ、エンジン１２のアフターバーナー区画２４で内部貫通穴１８中に戻される。ケーシング環体中に実線の矢印を用いて、さらにアフターバーナー燃料供給機構２６中に破線の矢印を用いて、スプレーバー２８を通過するようにそらされたバイパス空気１９の流れの典型的な進路を図３に示す。
【００３３】
図３の半径方向断面図は、エンジン１２内のスプレーバー２８の取付構成３０を概略的に示す。この例では、スプレーバー２８は、アフターバーナー燃料供給機構２６を構成する。スプレーバー２８は、この図において燃料源３５（図４参照）と接続可能なスプレーヘッド３４を備える。スプレーヘッド３４の位置は、スプレーバー２８のヘッド側３６を示す。図３において、好適には円筒形状の、細長い燃料パイプ３８が示されている。図７からよくわかるように、図３中に見える燃料パイプ３８は、シュラウド５０中に収容される細長い燃料パイプの対４６のフロントパイプ（斜視図から）であり、燃料パイプ３８は、貫通穴気体流２０に対して横方向を向いている。
【００３４】
燃料パイプ３８は、図３に典型的に示す燃料排出口３９を３個まで備え、燃料源３５からの燃料は燃料排出口３９を経由してスプレー噴射される。図３から、各燃料パイプ３８は長手方向軸４０と外側表面４２を有することがわかる。以下に詳細に説明するように、また図７、９および１０により明白に示すように、燃料パイプ３８の外側表面４２の一部は、シュラウド係合部分４４を構成する。
【００３５】
図３は、フレームホルダー機構とは独立にスプレーバー２８がエンジン１２のケーシング１６に装着される、アフターバーナー燃料供給機構２６の好適な実施形態も示している。この図において、フレームホルダー機構は、ケーシング１６に固定されるストラット２２に支持されるフレームホルダー２１を備えるように概略的に示される。
【００３６】
当然ながら、図３は、スプレーバー２８の取付配置あるいは構成３０を概略的に示している。スプレーバー２８は、冷却空気排出口８８がその先端に位置して、マイナスの空気取入口９４を形成するように方向付けられている。このマイナスの空気取入口９４は、例えば飛行機の空気ラムとして用いる従来の空気取入口と類似のものと考えることができる。「マイナスの」の形態は、本発明の例では貫通穴気体流２０である接近する流れに対して、取入口を１８０度効果的にねじることにより達成される。そのため、排出口８８の開口領域９０の周りに低圧区域あるいは領域が形成されるように、また背圧を生じる可能性なしに冷却空気が効果的に引き込まれるように、冷却空気排出口８８は、接近する貫通穴気体流２０の大部分から向きがそれている。また、楕円形状のシュラウドの空気力学的特性により、その下流で後流効果がほとんどなくなる。
【００３７】
空気排出口８８の開口領域９０を図５に示す。開口領域９０において、スプレーバー２８の平衡に対して排出口８８の相対的な配置および構成を決めるために、開口領域９０を含む（と一致する）基準平面９２が形成される。
【００３８】
上記に示唆されるように、図４は、アフターバーナー燃料供給機構２６が細長いスプレーバー２８単独で構成される、本発明の実施形態の斜視図を提供する。この図示された実施形態において、細長いスプレーバー２８は、（本発明のここで説明される実施形態において必ずしも必要ではない構成要素）燃料源３５と流体的に連通している。しかし、スプレーヘッド３４に近接する冷却空気入口８６のスプレーバー２８内への典型的な取付けが示され、またシュラウド５０の楕円形状の細長い性状が示されている。さらに、シュラウド５０の全長５６である、スプレーバー２８の長手方向軸３２が示されている。シュラウド５０を貫通する燃料排出口５１も示されており、燃料排出口５１は、アフターバーナー機構２６に組み込まれた少なくとも１つの燃料パイプ３８の燃料排出口３９と当然ながら一直線に並んでいる。
【００３９】
図６〜８は、スプレーバー２８ついての種々の断面図である。図６は、燃料パイプ３８を取付けないスプレーバー２８を示し、またシュラウド５０の長手方向軸５４も示している。シュラウド５０の内部空間５２は、図９の断面図により最もよく理解することができる。
【００４０】
スプレーヘッド３４は、一般に円筒形状であるが、シュラウド５０は一般に楕円形状である。そのため、延長遷移部分８２は、相互接続するようにそれらの間に介在する。シュラウド５０のパイプ受け部分６８の細長い凹部７０に対する導入部としての機能を果たす凹部８４が、遷移部分８２の内部表面に示されている。シュラウド５０の内部側面の側壁６６の詳細が、図８および９に明白に示される。そこには、細長い凹面状の凹部７０により集中して構成される、側面の側壁６６の「波状」あるいは溝付き構成が示されている。細長く隆起した頂上部分７２が、「波状」あるいは溝付き構成の両側に位置している。
【００４１】
シュラウド５０の特に好適な製造方法には、シュラウドの側面の側壁６６の上に位置するパイプ受け部分６８の「波状」あるいは溝付き構成を備える、シュラウドの所望の断面形状に対応する形状を有する溝付き金型やダイを用いる冷間引抜が含まれる。そのような製造方法の利点としては、高温強度を有する比較的剛性のあるシュラウドを製造することが含まれる。別法として、シュラウド５０を押出し法により製造してもよい。
【００４２】
特に図９および１０をまとめて考えると、パイプ受け部分６８の波状構成がシュラウド５０に対する補強材７４として機能するということが、当業者には分かるであろう。パイプ受け部分６８の対称な長手方向軸７６と実質的に直角な方向において、この構成の補強機能が、シュラウド５０の曲げモーメント、ひいてはスプレーバー２８の曲げモーメントに対して抵抗する。
【００４３】
図７は、シュラウド５０内に取付けられた細長い燃料パイプ３８の対４６を有するスプレーバー２８の断面図も示している。この図から、特に図９とまとめて考えると、細長い燃料パイプの対４６が、特に対になった燃料パイプ３８（短軸６４と一直線に並ぶ）を横断する方向の曲げモーメントに抵抗するスプレーバー２８の補強材として機能することが分かる。
【００４４】
図９および１０は、シュラウド５０の全長５６に沿った、細長いスプレーバー２８の断面図を示す。各図において、シュラウド５０の楕円形管状の断面形状５８、その結果としてスプレーバー２８の優位性が示される。シュラウド５０の内部断面領域６０が図１０に示されている。また、楕円形状は長い交差軸６２および短い交差軸６４を規定する。さらに、燃料排出口３９、５１の位置合わせ状態がこれらの図からわかる。
【００４５】
図９は、アフターバーナー燃料供給機構２６の休止状態を示す。この構成においては、アフターバーナーの燃料は、燃料パイプ３８を経由して供給されていない。一方、図１０は、燃料パイプ３８を経由して燃料が供給されている活動状態を示す。比較すると、燃料パイプ３８は、活動状態において比較的低温であり、半径方向の収縮をある程度受ける。図９の休止状態では、係合部分４４において燃料パイプ３８とシュラウド５０間に、強固な摩擦はめ合い７８が形成される。反対に、図１０の活動状態では、冷却された燃料パイプ３８の収縮により、ゆるい摩擦はめ合い８０がシュラウド５０との間に形成される。パイプ３８とシュラウド５０との当接はめ合いが、活動状態において単に緩められる、あるいは図１０に示すように、空気の間隙空間がそれらの間に生成することが分かる。どちらの場合も、シュラウド５０の内部に形成されたパイプ受け部分６８の隆起した頂上部分７２により、シュラウド５０に対する燃料パイプ３８の位置が保持される。
【００４６】
細長い燃料スプレーバー２８の１つの好適かつ典型的な実施形態を図１１〜１５に示す。図１４は、一対の結びついた燃料パイプ３８を明らかにするために露出されたその内部を含む、スプレーバー２８の全長の断面斜視図を提供する。図１５は、スプレーヘッド３４の詳細な断面斜視図を提供し、各パイプ３８に燃料を分配するためのマニホールドが示されている。図に示すように、２つの燃料パイプ３８は、スプレーヘッド３４において互いに分離しているが、その頂上部分４７において互いに隣り合って平行な配置で１つにまとまる。図に示すように、燃料パイプ３８の隣接部分を、その伸長方向の大部分に沿ってろう付け接合４９によりつなぎ合わせる。スプレーヘッド３４付近において燃料パイプ３８が互いに分離している構成の断面を図１１に示す。ろう付けした長さ方向に沿った２つのパイプの配置の例を図１２に示す。図１２は、燃料がパイプ３８を通って流れない休止状態に関するものであり、それによりそれらのパイプ３８とシュラウド５０との間は当接している。図１３は、図１２に示すものと同様な位置において、スプレーバー２８の活動状態を示す断面図であるが、ろう付けされたパイプ３８がシュラウド５０からわずかに離れている。
【００４７】
上記に示唆されるように、本発明の実施形態は、独自のアフターバーナー燃料供給機構２６の典型的な実装形態を例示する目的のために開示するものである。しかし、当然ながら、これらの例は以下の特許請求の範囲により定義される特許保護に関して、制限をするものではない。
【図１】
2011102692.tif 000003
【図２】
2011102692.tif 000004
【図３】
2011102692.tif 000005
【図４】
2011102692.tif 000006
【図５】
2011102692.tif 000007
【図６】
2011102692.tif 000008
【図７】
2011102692.tif 000009
【図８】
2011102692.tif 000010
【図９】
2011102692.tif 000011
【図１０】
2011102692.tif 000012
【図１１】
2011102692.tif 000013
【図１２】
2011102692.tif 000014
【図１３】
2011102692.tif 000015
【図１４】
2011102692.tif 000016
【図１５】
2011102692.tif 000017